(57)【要約】【課題】出荷形態に合わせてコネクタの組立状態を変更することにより、作業性の大幅な向上を図り、高品質な製品の納入を行うことができるコネクタ検査治具を提供する。【解決手段】本発明のコネクタ検査治具１は、コネクタハウジングと、嵌合方向に沿ってスライド移動可能にコネクタハウジングの外周に嵌合された嵌合検知部材と、を備えた半嵌合防止コネクタ６０の導通を検査するものである。そして、コネクタハウジングが初期位置以外にある場合に、コネクタハウジングが初期位置に来るように少なくともコネクタハウジングの可撓ロックアームを押圧する初期位置設定部５０と、フロントホルダが装着未完了の場合に、フロントホルダをハウジング本体に装着完了させるフロントホルダ装着部２０と、を備えている。【選択図】        図１
2004247250.tif 000002
【特許請求の範囲】
【請求項１】
タブ受端子を収容したハウジング本体に装着されるフロントホルダを有し前記ハウジング本体に可撓ロックアームを有するコネクタハウジングと、嵌合方向に沿ってスライド移動可能に前記コネクタハウジングの外周に嵌合され前記可撓ロックアームとの係合により前記コネクタハウジングを初期位置に規制する位置決め係止部を有する嵌合検知部材と、を備えた半嵌合防止コネクタの導通を検査するコネクタ検査治具であって、
前記コネクタハウジングが初期位置以外にある場合に前記位置決め係止部を前記可撓ロックアームに係合させて前記コネクタハウジングが初期位置に来るように、少なくとも前記コネクタハウジングの前記可撓ロックアームを押圧する初期位置設定部と、前記フロントホルダが装着未完了の場合に該フロントホルダを前記ハウジング本体に装着完了させるフロントホルダ装着部と、を備えていることを特徴とするコネクタ検査治具。
【請求項２】
所定の形状とは異なる異形コネクタが搬送されてきた場合に、前記異形コネクタを検出する異形コネクタ検出部を含むことを特徴とする請求項１に記載のコネクタ検査治具。
【請求項３】
前記初期位置設定部と、前記フロントホルダ装着部と、前記異形コネクタ検出部と、を同時的に作動させる可動レバーを有することを特徴とする請求項２に記載のコネクタ検査治具。
【発明の詳細な説明】
【０００１】
【発明の属する技術分野】
本発明は、半嵌合防止コネクタの導通を検査するコネクタ検査治具に関し、詳しくは半嵌合防止コネクタを出荷用の初期位置に設定するととともにフロントホルダを装着完了させるのに用いられるコネクタ検査治具に関する。
【０００２】
【従来の技術】
従来のコネクタ検査治具として、例えば、下記特許文献１に開示されているものが知られている。すなわち、図１１に示したように、コネクタ検査治具１００は、検査用図板に固定される本体ベース１０１に、一対のスライドレール１０２が設けられ、スライドレール１０２に、検査部１０３とコネクタ受け部１０４とがスライド可能に嵌め込まれている。検査部１０３の一端部には、レバー取付け部１０５が一体的に立設され、レバー取付け部１０５に、本体ベース１０１に平行であってスライドレール１０２と交差する軸線まわりに回動自在であるようにレバー１０６が取り付けられている。レバー１０６には、検査部１０３に向かって突出したカム部１０７が一体的に形成されている。このカム部１０７は検査部１０３の後端部に当接している。
【０００３】
検査部１０３においてレバー１０６とは反対側の端面に、凹部１０８が形成されている。凹部１０８内には、コネクタ受け部１０４に保持されるコネクタ（図示せず。）が有する端子金具に対向する各位置に頭部を突出させた複数個の検出子１０９が並設されている。検出子１０９は、図外のコイルばねによりコネクタ受け部１０４に向けて弾発的に付勢されている。
【０００４】
コネクタ受け部１０４は、スライドレール１０２に交差する断面が略Ｕ字状に形成されていて、検査すべきコネクタを保持するための収容空間１１０を有している。コネクタ受け部１０４の後端部にはコネクタから引き出された電線を通すための切欠部１１１が形成されている。また、コネクタ受け部１０４のスライドレール１０２に沿った一対の側壁部１１２，１１３のうちの一方の側壁部１１３には、収容空間１１０にまで貫通した窓１１４が形成されている。
【０００５】
窓１１４に対向する位置には、リテーナ押圧部材１１５が、本体ベース１０１に固定されて配置されている。検査部１０３は、コイルばねによりレバー１０６に向けて付勢されている。
【０００６】
コネクタ受け部１０４の底部であって検査部１０３とは反対側の位置には、一対のスライドレール１０２の間にコイルばね１１５の一端部が嵌め込まれる。コイルばね１１５の他端部は、本体ベース部１０１のレバー１０６とは反対側の端面にボルト１１６により固定された端板１１７に当接している。
【０００７】
このようなコネクタ検査治具１００では、レバー１０６を引き起こすと、カム部１０７が検査部１０３の後端面に当接し、検査部１０３をコネクタ受け部１０４に当接した後には、コネクタ受け部１０４と検査部１０３とがさらに一体的に変位し、本体ベース１０１に固定されたリテーナ押圧部材１１５は、コネクタ受け部１０４に保持されたコネクタのハウジングに仮係止されているリテーナをハウジング内に押し込む。これにより、リテーナとハウジング内の端子金具とが係合し、端子金具がハウジングに係止されることによって、コネクタの検査のためにレバー１０６を引き起こすことにより、同時にリテーナをハウジングに押し込むようにしている。
【０００８】
【特許文献１】
特開平６−８２５１１号公報
【０００９】
【発明が解決しようとする課題】
しかしながら、上記従来のコネクタ検査治具１００においては、コネクタのハウジングに仮係止されているリテーナをハウジング内に押し込むものであるため、コネクタの出荷形態に合わせてコネクタの組立状態を変更することができない。そのため、このコネクタ検査治具１００により検査が終了したコネクタに対し、出荷形態に合わせて、作業者が組付状態を変更しなければならない。
また、フロントホルダのような付加的部品がハウジングに装着未完了である場合に、そのフロントホルダを装着完了状態にすることができない。そのため、フロントホルダが装着未完了である際に、出荷形態に合わせて作業者がフロントホルダを組付けなければならない。
【００１０】
本発明は、上記課題を解決するためになされたものであり、その目的は、出荷形態に合わせてコネクタの組立状態を変更することにより、作業性の大幅な向上を図り、高品質な製品の納入を行うことができるコネクタ検査治具を提供することにある。
【００１１】
【課題を解決するための手段】
本発明の請求項１記載のコネクタ検査治具は、タブ受端子を収容したハウジング本体に装着されるフロントホルダを有し前記ハウジング本体に可撓ロックアームを有するコネクタハウジングと、嵌合方向に沿ってスライド移動可能に前記コネクタハウジングの外周に嵌合され前記可撓ロックアームとの係合により前記コネクタハウジングを初期位置に規制する位置決め係止部を有する嵌合検知部材と、を備えた半嵌合防止コネクタの導通を検査するコネクタ検査治具であって、
前記コネクタハウジングが初期位置以外にある場合に前記位置決め係止部を前記可撓ロックアームに係合させて前記コネクタハウジングが初期位置に来るように少なくとも前記コネクタハウジングの前記可撓ロックアームを押圧する初期位置設定部と、前記フロントホルダが装着未完了の場合に該フロントホルダを前記ハウジング本体に装着完了させるフロントホルダ装着部と、を備えていることを特徴とする。
【００１２】
前記構成のコネクタ検査治具によれば、可撓ロックアームが嵌合検知部材の位置決め係止部に係合することにより出荷形態である初期位置に規制されるコネクタハウジングをもつコネクタに対して用いられる。すなわち、初期位置設定部によりコネクタハウジングが初期位置以外にある場合に、位置決め係止部を可撓ロックアームに係合させてコネクタハウジングが初期位置に来るように少なくともコネクタハウジングの可撓ロックアームを押圧し、フロントホルダ装着部によりフロントホルダが装着未完了の場合にフロントホルダをコネクタハウジングの本体に装着完了させる。
したがって、コネクタハウジングと嵌合検知部材とは、コネクタハウジングが初期位置にあり、フロントホルダが本体に装着完了された出荷形態で搬出される。それにより、作業性の大幅な向上が図られ、高品質な製品の納入を行うことができる。
【００１３】
また、請求項２記載のコネクタ検査治具は、請求項１記載のコネクタ検査治具において、所定の形状とは異なる異形コネクタが搬送されてきた場合に、前記異形コネクタを検出する異形コネクタ検出部を含むことを特徴とする。
【００１４】
前記構成のコネクタ検査治具によれば、異形コネクタ検出部により、所定の形状とは異なる異形コネクタが搬送されてきた際に、その異形コネクタが検出される。
したがって、作業者による目視点検を行なうまでもなく、異形コネクタが検出されるため、異形コネクタが搬出される心配がなくなる。
【００１５】
また、請求項３記載のコネクタ検査治具は、請求項２記載のコネクタ検査治具において、前記初期位置設定部と、前記フロントホルダ装着部と、前記異形コネクタ検出部と、を同時的に作動させる可動レバーを有することを特徴とする。
【００１６】
前記構成のコネクタ検査治具によれば、可動レバーにより、初期位置設定部と、フロントホルダ装着部と、異形コネクタ検出部と、が同時的に作動される。
したがって、作業者による目視点検を行なうまでもなく、異形コネクタの検出と、出荷形態に会わせたコネクタハウジングの初期位置への設定と、装着未完了のフロントホルダのコネクタハウジング本体への装着完了と、が同時的に実行されることによって、作業性の大幅な向上が図られ、高品質な製品の納入を行うことができる。
【００１７】
【発明の実施の形態】
以下、本発明のコネクタ検査治具の一実施形態を図１乃至図６に基づいて詳細に説明し、本発明のコネクタ検査治具に適用される半嵌合防止コネクタの構造を図７乃至図１０に基づいて説明する。
図１は本発明のコネクタ検査治具の一実施形態を示す正面図、図２は図１に示すコネクタ検査治具の平面図、図３は図１に示すコネクタ検査治具におけるフロントホルダ装着部周りの外観斜視図、図４は図１に示すコネクタ検査治具の作動状態における正面図、図５は図４に示す作動状態のコネクタ検査治具の平面図、図６はコネクタ検査治具におけるフロントホルダ装着部の部分的外観図である。
また、図７は本発明のコネクタ検査治具に適用される半嵌合防止コネクタの出荷形態の外観斜視図、図８は図７に示す半嵌合防止コネクタの断面図、図９は本発明のコネクタ検査治具に適用される半嵌合防止コネクタのフロントホルダ装着未完了状態の外観斜視図、図１０は図９に示す半嵌合防止コネクタの断面図である。
【００１８】
図１及び図２に示すように、本実施形態のコネクタ検査治具１は、基台２と、可動レバー３と、リンクアーム４と、第１スライド体５と、第２スライド体６と、第３スライド体７と、固定板体８と、を備えている。そして、第１スライド体５にフロントホルダ装着部２０及び導通検査部３０が設けられ、第３スライド体７に異形コネクタ検出部４０が設けられ、固定板体８に初期位置設定部５０が設けられている。
【００１９】
基台２は、比較的肉厚の小さい金属製板部材によってコ字形状に形成されており、一端部に形成された突出部９にピボット軸１０が配されている。ピボット軸１０には、可動レバー３の基端部が回動自在に結合されている。また、可動レバー３の基端部側であってピボット軸１０との結合部の上部には、リンクアーム４の一端部が回動自在に結合されている。リンクアーム４の他端部は、第１スライド体５に回動自在に結合されている。基台２上には、一対のガイドロッド１１が各スライド体５，６，７のスライド方向に沿って配されている。
【００２０】
可動レバー３は、ピボット軸１０に回動自在に結合されているため、図１中に示す矢印方向である反時計回転方向に回動されることによって、リンクアーム４を介して第１スライド体５を進み方向に位置Ａ１から位置Ａ２，位置Ａ３，位置４まで押圧移動させる。その後に、可動レバー３は、図１中の時計方向に回動されることによって、リンクアーム４を介して第１スライド体５を戻し方向に位置Ａ１まで引張する。
【００２１】
第１スライド体５は、ガイドロッド１１により図１中右方向及び左方向にスライド移動可能にして基台２に支持されている。第１スライド体５は、ねじりコイルばね等の付勢手段１２を介して第２スライド体６に連結されている。第１スライド体５は、位置Ａ１が復帰位置であり、位置Ａ２が第３スライド体７の押圧を開始する位置であり、位置Ａ３が第３スライド体７の押圧を終了する位置であり、位置Ａ４が全スライド体５，６，７の押圧を終了する合体位置である。
【００２２】
第２スライド体６は、ガイドロッド１１により図１中右方向及び左方向にスライド移動可能にして基台２に支持されている。第２スライド体６の中央部には、第３スライド体７に保持された半嵌合防止コネクタ６０及び、第１スライド体５のフロントホルダ装着部２０，導通検査部３０を挿通させるための挿通孔６ａが形成されている。第２スライド体６は、第１スライド体５が位置Ａ２まで移動された際に第３スライド体７に衝突し、その後に、第１スライド体５が位置Ａ３まで移動される際に付勢手段１２により第１スライド体５に対して離間状態を保ちながら図１中の左方向にスライド移動され、第１スライド体５が位置Ａ４まで移動された際に第１スライド体５に合体される。
【００２３】
第３スライド体７は、ガイドロッド１１により図１中右方向及び左方向にスライド移動可能にして基台２に支持されており、ねじりコイルばね等の付勢手段１３を介して固定板体８に連結されている。第３スライド体７は、第１スライド体５が位置Ａ２に移動されたときから位置Ａ３に到達するまでの間、第２スライド体６により押圧されて図１中の左方向にスライド移動され、固定板体８に衝突され、第１スライド体５が位置Ａ３から位置Ａ４まで移動される間は、第２スライド体６に合体し、固定板体８に当接したままとなる。
【００２４】
固定板体８は、基台２における突出部９の反対側に固定されている。固定板体８は、第１，第２，第３スライド体５，６，７のスライド移動端部において各スライド体５，６，７を受け止める機能をもつ。
【００２５】
フロントホルダ装着部２０は、ピン２１と、３本のプッシュロッド２２，２３，２４と、からなる。ピン２１は、二股形状にして第１スライド体５の移動方向に沿って第２スライド体６に向け突出されている。プッシュロッド２２，２３，２４は、内蔵された付勢機構により第１スライド体５の進行方向に進退自在に配されており、第２スライド体６に向けて突出されている。
【００２６】
ピン２１及びプッシュロッド２２，２３，２４は、第１スライド体５が位置Ａ３から位置Ａ４まで移動する間に、第３スライド体７に形成されたコネクタ保持部４１に保持されている図９に示す半嵌合防止コネクタ６０のフロントホルダ７６が装着未完了であるときに、雌コネクタハウジング７０のハウジング本体７２に有する突起７７と舌片７８との間に挿入されることによって舌片７８を持ち上げる。その後に、プッシュロッド２２，２３，２４によりフロンタホルダ７６をハウジング本体７２側に押圧することにより、舌片７８の係合孔７８ａ内に突起７７を嵌入して、フロントホルダ７６をハウジング本体７２に装着する。このとき、フロントホルダ７６が装着完了済みであるときには、フロントホルダ７６をハウジング本体７２に装着する動作は行なわず、プッシュロッド２２，２３，２４は付勢機構により縮む方向に動く。
【００２７】
導通検査部３０は、一対の導通検査端子３１，３１からなる。導通検査端子３１，３１は、図７に示す雄コネクタハウジング９０のタブ端子と同等の形状をもつものであって、図示しない検査回路に電気的に接続される。第１スライド体５が位置Ａ４に到達したところで、第３スライド体７のコネクタ保持部４１に保持されている半嵌合防止コネクタ６０の一対のタブ受端子７３，７３内に電気的に接続可能に挿入される。そして、タブ受端子７３，７３に検査回路から所定の検査電流が供給されることによって、タブ端子を通じて流れる電流値が所定の範囲内にあるか否かが検査回路により検出される。このとき、半嵌合防止コネクタ６０におけるタブ受端子７３，７３の組込み状態が不良であると、タブ端子を通じて検出された電流値が小さくなることによって、タブ受端子７３，７３の組込み不良が検出される。
【００２８】
異形コネクタ検出部４０は、第３スライド体７の上面に半嵌合防止コネクタ６０の形状に対応して凹状に形成されたコネクタ保持部４１を有し、コネクタ保持部４１の底面部が、半嵌合防止コネクタ６０の側板８３に当接する。そして、半嵌合防止コネクタ６０を支持する支持板部４２を有する。
コネクタ保持部４１には、スイッチピン４３が配されている。スイッチピン４３は、接触式センサであって、通常、予め定められた長さだけコネクタ保持部４１の底面部から突出している。そして、異形コネクタ検出部４０に搬送されてきた図７に示す半嵌合防止コネクタ６０の側板８３の所定位置にリブ８４が形成されていると、そのリブ８４によって押圧されることにより、所定の半嵌合防止コネクタ６０であることが検出される。このとき、リブ８４が所定位置に形成されていない半嵌合防止コネクタが搬送されてくると、スイッチピン４３は押圧されず、所定の半嵌合防止コネクタ６０ではないことが検出される。なお、スイッチピン４３は、単一のものとして配されているが、単一に限らず、所定のリブ８４に対応して、２個であっても３個であっても良い。
【００２９】
初期位置設定部５０は、固定板体８の側面から、第３スライド体７のコネクタ保持部４１内に突出して形成されたコネクタハウジング押圧部５１と、コネクタハウジング押圧部５１から更に突出したロック解除部５２とからなる。
ロック解除部５２は、第３スライド体７が固定板体８に対して進行移動してきた際に、図７に示す半嵌合防止コネクタ６０の可撓ロックアーム７１の後端部を押圧することによって可撓ロックアーム７１をシーソー式に動かし、可撓ロックアーム７１の係止突起８１へのロックを解除する。
コネクタハウジング押圧部５１は、ロックが解除された半嵌合防止コネクタ６０に対し、その後側より雌コネクタハウジング７０を押圧することによって、雌コネクタハウジング７０を初期位置に設定する。このとき、既にロックが解除された半嵌合防止コネクタ６０が搬送されてきた場合、ロック解除部５２及びコネクタハウジング押圧部５１は、半嵌合防止コネクタ６０に対し空振り動作を行う。
【００３０】
図３に示すように、フロントホルダ装着部２０において、ピン２１と、プッシュロッド２２，２３とは、第１スライド体５の側面に平行に並べられており、プッシュロッド２４は、プッシュロッド２２，２３を底辺とした三角形の頂部に配されている。そして、一対の導通検査端子３１，３１は、３本のプッシュロッド２２，２３，２４の間に、半嵌合防止コネクタ６０のタブ受端子７３，７３に対応して配されている。このとき、導通検査端子３１はタブ受端子７３の数及び配列に応じて配される。
【００３１】
次に、本実施形態のコネクタ検査治具１の動作について、図１〜図３を含め、図４乃至図６を用いて説明する。
先ず、第３スライド体７のコネクタ保持部４１に半嵌合防止コネクタ６０が搬送されてくる。すると、異形コネクタ検出部４０において、半嵌合防止コネクタ６０の側板８３の所定位置にリブ８４が形成されているか否かをスイッチピン４４により判別することによって、所定の半嵌合防止コネクタ６０であることが検出される。
【００３２】
搬送されてきた半嵌合防止コネクタ６０が所定のコネクタであることが検出されると、可動レバー３が回動される。可動レバー３が回動されることによって、第１スライド体５が、位置Ａ１から位置Ａ２までスライド移動される。第２スライド体６は、第１スライド体５に押圧されて移動して第３スライド体７に衝突し、挿通孔６ａが半嵌合防止コネクタ６０を覆う。
【００３３】
第１スライド体５が位置Ａ２から位置Ａ３まで移動を続ける間に、第３スライド体７は固定板体８に近づく。第３スライド体７が固定板体８に近づくことによって、初期位置設定部５０によりロック解除部５２が半嵌合防止コネクタ６０の可撓ロックアーム７１を押圧する。これにより、可撓ロックアーム７１をシーソー式に動かして可撓ロックアーム７１の係止突起８１へのロックを解除する。この時、コネクタハウジング押圧部５１がロック解除された半嵌合防止コネクタ６０に対してその後側より雌コネクタハウジング７０を押圧することによって雌コネクタハウジング７０を初期位置に設定する。
【００３４】
そして、第１スライド体５が、位置Ａ３から位置Ａ４まで移動を続ける間に、フロントホルダ装着部２０により、半嵌合防止コネクタ６０のフロントホルダ７６が装着未完了であるときに、図６に示すように、雌コネクタハウジング７０のハウジング本体７２に有する突起７７と舌片７８との間に挿入される。これにより、舌片７８を持ち上げ、その後にプッシュロッド２２，２３，２４によりフロントホルダ７６をハウジング本体７２側に押圧することで、舌片７８の係合孔７８ａ内に突起７７を嵌入して、フロントホルダ７６をハウジング本体７２に装着する。そして、導通検査部３０により導通検査端子３１，３１が、第３スライド体７のコネクタ保持部４１に保持されている半嵌合防止コネクタ６０の一対のタブ受端子７３，７３内に電気的に接続可能に挿入され、タブ受端子７３，７３に検査回路から所定の検査電流が供給される。これにより、タブ受端子７３，７３を通じて流れる電流値が所定の範囲内にあるか否かが検査回路により検出される。
【００３５】
可動レバー３は、検査が終了した後に戻し方向に回動されるため、第１スライド体５が、位置Ａ４から位置Ａ１まで復帰され、検査が終了した半嵌合防止コネクタ６０が、第３スライド体７のコネクタ保持部４１から取り出されて、次の工程へ搬送される。
【００３６】
上述したようなコネクタ検査治具１に適用される半嵌合防止コネクタ６０は、図７乃至図１０に示す構造を有する。
図７に示すように、半嵌合防止コネクタ６０は、可撓ロックアーム７１を有するコネクタハウジングである雌コネクタハウジング７０と、雌コネクタハウジング７０に嵌合方向に沿ってスライド可能に外嵌され可撓ロックアーム７１に係合される位置決め係止部である係止突起８１を有する略筒状の嵌合検知部材８０と、から構成されており、雄コネクタハウジング９０が嵌合検知部材８０と雌コネクタハウジング７０との間に嵌合される。
【００３７】
図８に示すように、雌コネクタハウジング７０は、一対のタブ受端子７３，７３を収容保持する端子収容室７４，７４が、略円筒形状をなすハウジング本体７２に形成されており、ハウジング本体７２には、前方よりオーリング７５を介してフロントホルダ７６が装着されている。フロントホルダ７６は、ハウジング本体７２の端子収容室７４，７４に形成された突起７７に舌片７８の係合孔７８ａが嵌入されることによって装着完了状態となる。可撓ロックアーム７１は、ハウジング本体７２の上面に配されている。可撓ロックアーム７１は、ハウジング本体７２の上面の略中央に立設された支柱部７９の上端に、ハウジング本体７２の嵌合方向に沿って支柱部７９の前後に延びており、支柱部７９を支点としてシーソー式に変位可能なように構成されている。
【００３８】
可撓ロックアーム７１における嵌合方向の先端側には、係止孔７１ａが形成されている。係止孔７１ａには、雌コネクタハウジング７０が初期位置にあるときに、嵌合検知部材８０の係止突起８１が上方より嵌入される。そして、雄コネクタハウジング９０が雌コネクタハウジング７０に嵌合されるのに際し、雌コネクタハウジング７０が嵌合検知部材８０に対して前方に設定されている適正嵌合検知位置までスライド移動されるときに、係止孔７１ａに対して雄コネクタハウジング９０の上部に形成された係合突起９１が下方より嵌入される。これにより、嵌合検知部材８０の係止突起８１を押し上げて、係合突起９１の係止孔７１ａへの係合を解除する。その後に、嵌合検知部材８０の係止突起８１が可撓ロックアーム７１を乗り越えて可撓ロックアーム７１の先端部の外側にスナップアクション的に落とし込まれる。
【００３９】
したがって、係止突起８１が可撓ロックアーム７１の先端部に係止され、雌コネクタハウジング７０のスライド移動が停止されて完全嵌合状態となる。係合突起９１の係止孔７１ａへの係合を解除するには、上記の他に、支柱部７９を介して可撓ロックアーム７１の後端部を押圧することによって可撓ロックアーム７１の係止孔７１ａ側を持ち上げるようにしても行なうことができる。この場合、雄コネクタハウジング９０の嵌合を行なうことなく雌コネクタハウジング７０を初期位置に設定することができる。また、雌コネクタハウジング７０の外側部には、嵌合方向に沿ってリブ形状に突出した３個のガイド突条（図示しない）が形成されている。
【００４０】
図９に示すように、嵌合検知部材８０には、雌コネクタハウジング７０の外周に嵌合してハウジング本体７２の周囲を覆う略筒状の検知部材本体８２を備えている。係止突起８１は、検知部材本体８２の上部において図９中の上下方向に可撓可能に配されている。検知部材本体８２の内側には、雌コネクタハウジング７０のガイド突条を摺動自在に受けるガイド受溝（図示しない）が形成されており、ガイド受溝内に雌コネクタハウジング７０のガイド突条が嵌入されることによって、雌コネクタハウジング７０を嵌合方向に沿ってスライド自在に支持する。
【００４１】
検知部材本体８２の外周面には、側板８３の予め定められた位置にリブ８４が突設されている。リブ８４は、半嵌合防止コネクタ６０の形式を認定するため、側板８３の面上に突出して形成されているため、リブ８４の位置を検出することによって形式の判定が行われる。
【００４２】
このような半嵌合防止コネクタ６０は、雌コネクタハウジング７０が初期位置にある嵌合前に、雌コネクタハウジング７０における可撓ロックアーム７１の係止孔７１ａに嵌合検知部材８０の係止突起８１が上方から嵌入して係合されている。
【００４３】
次に、雄コネクタハウジング９０が、雌コネクタハウジング７０に対して嵌合され始めると、雄コネクタハウジング９０の係合突起９１が可撓ロックアーム７１の下方から係止孔７１ａに嵌入される。これにより、係止孔７１ａ内に係合していた係止突起８１が押し出されて、雌コネクタハウジング７０の初期位置への規制が解除され、嵌合検知部材８０が嵌合方向に移動可能な状態となる。
【００４４】
そして、嵌合検知部材８０が前方の適正嵌合検知位置まで移動されると、嵌合検知部材８０の係止突起８１が可撓ロックアーム７１を乗り越えて可撓ロックアーム７１の先端部の外側にスナップアクション的に落とし込まれる。これにより、係止突起８１が可撓ロックアーム７１の先端部に係止され、嵌合検知部材８０のスライド移動が停止されて完全嵌合状態を検知することができる。完全嵌合状態になることで、雌コネクタハウジング７０に収容されているタブ受端子７３，７３が、雄コネクタハウジング９０に収容されているタブ端子に電気的に接続される。
【００４５】
本実施形態のコネクタ検査治具１によれば、可撓ロックアーム７１が嵌合検知部材８０の係止突起８１に係合することにより出荷形態である初期位置に規制される雌コネクタハウジング７０をもつ半嵌合防止コネクタに対して用いられ、可動レバー３がリンクアーム４を介して回動する。これによって、初期位置設定部５０により雌コネクタハウジング７０が初期位置以外にある場合に、係止突起８１を可撓ロックアーム７１に係合させて雌コネクタハウジング７０が初期位置に来るように少なくとも雌コネクタハウジング７０の可撓ロックアーム７１を押圧する。
【００４６】
また、フロントホルダ装着部２０によりフロントホルダ７６が装着未完了の場合に、フロントホルダ７６を雌コネクタハウジング７０のハウジング本体７２に装着完了させる。更に、異形コネクタ検出部４０により所定の形状とは異なる異形コネクタが搬送されてきた際に、その異形コネクタを検出する。
したがって、作業者による目視点検を行なうまでもなく、異形コネクタが検出されるため、異形コネクタが搬出される心配がなくなる。また、コネクタハウジングと嵌合検知部材とは、コネクタハウジングが初期位置にあり、フロントホルダがハウジング本体に装着完了された出荷形態で搬出される。よって、作業性の大幅な向上が図られ、高品質な製品の納入を行うことができる。
【００４７】
なお、本発明に係るコネクタ検査治具は、上述した実施形態に限定されるものではなく、適宜な変形、改良等が可能である。例えば、可動レバー及びリンクアームの形状は、図示した軸形状をなすものに限らず、可動レバーにおいては、例えば、扇形状やＬ字形状としても良い。
また、フロントホルダ装着部におけるプッシュロッドは、３本に限らず、例えば、三角形や四角形の筒形状をなす一体構造であっても良い。
【００４８】
【発明の効果】
以上説明したように本発明の請求項１記載のコネクタ検査治具によれば、可撓ロックアームが嵌合検知部材の位置決め係止部に係合することにより出荷形態である初期位置に規制されるコネクタハウジングをもつコネクタに対して用いられ、初期位置設定部によりコネクタハウジングが初期位置以外にある場合に、位置決め係止部を可撓ロックアームに係合させてコネクタハウジングが初期位置に来るように少なくともコネクタハウジングの可撓ロックアームを押圧し、フロントホルダ装着部によりフロントホルダが装着未完了の場合に、フロントホルダをコネクタハウジング本体に装着完了させる。
したがって、コネクタハウジングと嵌合検知部材とは、コネクタハウジングが初期位置にあり、フロントホルダがハウジング本体に装着完了された出荷形態で搬出される。これにより、作業性の大幅な向上が図られ、高品質な製品の納入を行うことができる。
【００４９】
また、請求項２記載のコネクタ検査治具によれば、異形コネクタ検出部により、所定の形状とは異なる異形コネクタが搬送されてきた際に、その異形コネクタが検出される。
したがって、作業者による目視点検を行なうまでもなく、異形コネクタが検出されるため、異形コネクタが搬出されるおそれがなくなる。
【００５０】
また、請求項３記載のコネクタ検査治具によれば、可動レバーにより初期位置設定部と、フロントホルダ装着部と、異形コネクタ検出部とが同時的に作動される。
したがって、作業者による目視点検を行なうまでもなく、異形コネクタの検出と、出荷形態に会わせたコネクタハウジングの初期位置への設定と、装着未完了のフロントホルダのコネクタハウジング本体への装着完了とが同時的に実行されることによって、作業性の大幅な向上が図られ、高品質な製品の納入を行うことができる。
【図面の簡単な説明】
【図１】本発明のコネクタ検査治具の一実施形態を示す正面図である。
【図２】図１に示したコネクタ検査治具の平面図である。
【図３】図１に示したコネクタ検査治具におけるフロントホルダ装着部周りの外観斜視図である。
【図４】図１に示したコネクタ検査治具の作動状態における正面図である。
【図５】図４に示した作動状態のコネクタ検査治具の平面図である。
【図６】コネクタ検査治具におけるフロントホルダ装着部の部分的外観図である。
【図７】本発明のコネクタ検査治具に適用される半嵌合防止コネクタの出荷形態の外観斜視図である。
【図８】図７に示した半嵌合防止コネクタの断面図である。
【図９】本発明のコネクタ検査治具に適用される半嵌合防止コネクタのフロントホルダ装着未完了状態の外観斜視図である。
【図１０】図９に示した半嵌合防止コネクタの断面図である。
【図１１】従来のコネクタ検査治具の外観図である。
【符号の説明】
１  コネクタ検査治具
３  可動レバー
２０  フロントホルダ装着部
４０  異形コネクタ検出部
５０  初期位置設定部
６０  半嵌合防止コネクタ
７０  雌コネクタハウジング
７１  可撓ロックアーム
７２  ハウジング本体
７３  タブ受端子
７６  フロントホルダ
８０  嵌合検知部材
８１  係止突起（位置決め係止部）
【図１】
2004247250.tif 000003
【図２】
2004247250.tif 000004
【図３】
2004247250.tif 000005
【図４】
2004247250.tif 000006
【図５】
2004247250.tif 000007
【図６】
2004247250.tif 000008
【図７】
2004247250.tif 000009
【図８】
2004247250.tif 000010
【図９】
2004247250.tif 000011
【図１０】
2004247250.tif 000012
【図１１】
2004247250.tif 000013